(57)【要約】【課題】  乳児用のおくるみ、掛け布団、膝掛け等、従来のアフガンと同様の用途に使用できると共に、着用時に頭部を包み込むことができるフードを形成可能とすることによって、災害時において着用して防災頭巾として使用したり、入浴後等において着用して頭髪を乾かすのに役立てることができる多用途アフガンを提供すること。【解決手段】  利用者の身体を覆い得る大きさを有する所定形状の布体と、該布体に形成された紐通し通路に挿通された紐体とを備え、前記通路は布体の上縁部に始端及び終端を有する略Ｕ字状に形成されるとともに外部に開口された開口部を有し、該開口部から前記紐体の端部が引き出されている。【選択図】  図１
2006214025.tif 000002
【特許請求の範囲】
【請求項１】
利用者の身体を覆い得る大きさを有する所定形状の布体と、該布体に形成された紐通し通路に挿通された紐体とを備え、前記通路は布体の上縁部に始端及び終端を有する略Ｕ字状に形成されるとともに外部に開口された開口部を有し、該開口部から前記紐体の端部が引き出されていることを特徴とする多用途アフガン。
【請求項２】
前記開口部は略Ｕ字の下端部において開口されてなり、前記紐体は、一端部が前記始端付近に固定され他端部が前記開口部から引き出された左紐と、一端部が前記終端付近に固定され他端部が前記開口部から引き出された右紐からなることを特徴とする請求項１記載の多用途アフガン。
【請求項３】
前記布体は、前記始端及び終端の近傍位置において、夫々互いに係合可能な係合手段を有してなることを特徴とする請求項１又は２記載の多用途アフガン。
【発明の詳細な説明】
【技術分野】
【０００１】
本発明は、おくるみ、掛け布団、膝掛け等として使用することができる他に、携帯用の防災用品や入浴後に着用する衣類としても好適に使用することができる多用途アフガンに関する。
【背景技術】
【０００２】
四角形状の毛布等から構成されるアフガンは、その対角線上に乳児を載置して、該対角線を挟んだ角部を内側に向けて折り返し、これらの角部を乳児の上で重ね合わせることにより、乳児の身体を包み込むことができるおくるみとして広く利用されている。
また、このようなアフガンは、掛け布団や膝掛けとしても利用することが可能であり、従来よりその用途はおくるみのみに限定されていた訳ではない。
しかしながら、掛け布団や膝掛けとしての用途は、一般的な毛布が本来有している用途に過ぎず、その意味において、従来のアフガンは用途に広がりがなく、実質的には単なるおくるみの域を出ないものであった。
【０００３】
また、地震や火事等の災害が多発している昨今、乳幼児がこのような災害に巻き込まれることも多い。
このような災害が発生した際には、落下物等による衝撃に対して頭部を保護することが大切であり、特に頭蓋骨が未発達で柔らかい乳幼児にとって頭部を保護することは非常に重要である。
災害時において頭部を保護するための用具としては防災頭巾が市販されているものの、乳幼児のために防災頭巾を購入するという家庭は非常に少ないのが現状であった。
また、仮に防災頭巾を購入していたとしても、このような防災用品は普段使用しないものであるから、押入れの奥等のすぐには取り出せない場所に保管している場合が多く、緊急時には使用できない場合が多かった。更には、外出時に携帯することもないから、外出時に災害に遭遇した場合には全く使用できなかった。
【０００４】
また、通常、幼児が入浴した後やプールに入った後は、母親等がバスタオル等で濡れた身体を拭いているが、髪の毛の水分はタオルで拭いただけでは完全に除去することはできない。そのため、髪の毛が濡れたままの状態が長時間続くことによって、幼児が風邪をひく場合があった。
このような不都合は、ドライヤーで乾かすことにより解消することができるが、手間がかかるため、入浴後等における幼児の頭髪を早く乾かすために役立ち、手軽に使用できる用具の創出が望まれていた。
【０００５】
上述した従来のアフガンの問題点に鑑みて、従来のアフガンにはない新しい用途をもつアフガンが提案されており、例えば、下記特許文献１には、幼児が成長したときに防寒用のケープとして活用できるアフガンが提案されている。
しかしながら、この特許文献１に記載されたアフガンは、防寒用ケープとしての活用は可能であるものの、頭部を覆うことができるものではないため、上述したような災害時における頭部保護や入浴後等における頭髪乾燥などのために役立てることは全くできないものであった。
【０００６】
【特許文献１】実用新案登録第３０８２３４９号公報
【発明の開示】
【発明が解決しようとする課題】
【０００７】
本発明は上記課題を解決すべくなされたものであって、乳児用のおくるみ、掛け布団、膝掛け等、従来のアフガンと同様の用途に使用できると共に、着用時に頭部を包み込むことができるフードを形成可能とすることによって、災害時において着用して防災頭巾として使用したり、入浴後等において着用して頭髪を乾かすのに役立てることができる多用途アフガンを提供せんとするものである。
【課題を解決するための手段】
【０００８】
請求項１に係る発明は、利用者の身体を覆い得る大きさを有する所定形状の布体と、該布体に形成された紐通し通路に挿通された紐体とを備え、前記通路は布体の上縁部に始端及び終端を有する略Ｕ字状に形成されるとともに外部に開口された開口部を有し、該開口部から前記紐体の端部が引き出されていることを特徴とする多用途アフガンに関する。
【０００９】
請求項２に係る発明は、前記開口部は略Ｕ字の下端部において開口されてなり、前記紐体は、一端部が前記始端付近に固定され他端部が前記開口部から引き出された左紐と、一端部が前記終端付近に固定され他端部が前記開口部から引き出された右紐からなることを特徴とする請求項１記載の多用途アフガンに関する。
【００１０】
請求項３に係る発明は、前記布体は、前記始端及び終端の近傍位置において、夫々互いに係合可能な係合手段を有してなることを特徴とする請求項１又は２記載の多用途アフガンに関する。
【発明の効果】
【００１１】
請求項１に係る発明によれば、開口部から引き出された紐体を引っ張ることにより、布体が略Ｕ字状の紐通し通路に沿うラインにおいて絞られ、布体の上部にフード状の部分が形成される。従って、このフード状部分で頭部を覆うようにして乳幼児に着用させることができ、これにより、入浴後やプールに入った後において着用させることで、頭髪を乾かすのに役立てることができ、災害時においては頭部を保護する防災頭巾として使用することができる。また、紐体を引っ張らない状態では、おくるみ、掛け布団、膝掛け等、従来のアフガンと同様の用途に使用できるため、外出時に携帯しても邪魔にならず、携帯用の防災用品としても利用できる。
【００１２】
請求項２に係る発明によれば、紐体を布体の縁部から引き出さずに、略Ｕ字状に形成された通路の下端部に形成した開口部から引き出しているため、紐体が着用時において乳幼児の身体の後ろ側で結ばれるようになる。これにより、乳幼児が自分で紐を引っ張ることで、首が絞まって窒息する事故を防ぐことができ、安全性に優れたものとなる。
【００１３】
請求項３に係る発明によれば、フードを形成して着用した際に、紐通し通路の始端及び終端の近傍位置に夫々設けられた係合手段を互いに係合させることによって、首の位置でフードの下端部を左右に連結することができ、フードのずり落ち等を防ぐことができる。
【発明を実施するための最良の形態】
【００１４】
以下、本発明に係る多用途アフガンの好適な実施形態について、図面を参照しつつ説明する。
図１は本発明に係る多用途アフガンの平面図であって、（ａ）は表面図、（ｂ）は裏面図である。尚、図１に示された破線は縫製ラインを示している。
本発明に係る多用途アフガン（１）は、利用者の身体を覆い得る大きさを有する所定形状の布体（２）と、この布体（２）に設けられた紐通し通路（５）に挿通された紐体（６）とを備えているものである。
【００１５】
布体（２）は、例えば、表布（３）と裏布（４）とを重ね合わせた状態で縫製することにより形成される。
布体（２）を構成する表布（３）及び裏布（４）の生地としては、例えば毛布やタオルと同様の生地等を用いることができるが特にこれらに限定されるものではなく、一般的なおくるみや膝掛けにおいて使用されている任意の生地の中から適宜選択して使用することができる。このとき、表布（３）及び裏布（４）を同じ生地としてもよいし、異なる生地としてもよい。
また、保温性を高めるために、表布（３）及び裏布（４）の間に綿や羽毛等を入れることもできる。
【００１６】
布体（２）の形状は、図示の如く四角形（正方形又は長方形）とすることが好ましいが、必ずしもこの形状に限定されることはなく、本発明の目的を達成し得る範囲内においては適宜変更することが可能である。
【００１７】
紐通し通路（５）は、図示例では、帯状の布片（５３）を裏布（４）の表面に縫着することにより形成されており、布体（２）の上縁部（図示例では四角形の上辺）に始端（５１）及び終端（５２）を有する略Ｕ字状に形成されている。
尚、本発明における略Ｕ字状とは、半円形状、半楕円形状、Ｖ字形状などのＵ字に類似する形状をも含むものである。
【００１８】
紐通し通路（５）は外部に開口された開口部（７）を有しており、この開口部（７）から紐体（６）の端部が引き出されている。
開口部（７）は、紐通し通路（５）内に収納されている紐体（６）の端部を外部へと引き出すために設けられたものであって、その位置や数は特に限定されず、例えば上述した始端（５１）及び終端（５２）に夫々設けることもできるが、図示例のように通路（５）の略Ｕ字の下端部において布体（２）の表面に開口されるように設けることが好ましい。
【００１９】
図示例において、紐体（６）は、一端部が前記始端（５１）付近に固定されて他端部が開口部（７）から引き出された左紐（６１）と、一端部が前記終端（５２）付近に固定されて他端部が開口部（７）から引き出された右紐（６２）からなる。
【００２０】
布体（２）は、紐通し通路（５）の始端（５１）及び終端（５２）の近傍位置において、夫々互いに係合可能な係合手段（８）を有している。
係合手段（８）は、図示例ではボタン（８１）とループ（８２）からなり、ループ（８２）をボタン（８１）に引っ掛けることによって、両者を互いに係合させることができる。
尚、係合手段（８）は必ずしもボタンとループに限定される訳ではなく、ボタンとボタン穴、面ファスナーの雄部材と雌部材、スナップの雄部材と雌部材、フックとループ、２本の紐などから構成してもよい。
【００２１】
以下、本発明に係る多用途アフガンの使用方法について説明する。
先ず、本発明に係る多用途アフガン（１）は、図１に示したような紐体（６）を引っ張っていない普通の状態では、１枚の平面状の布の形態であるため、従来のアフガンと全く同様に使用することができる。
すなわち、図２に示すようにおくるみとして使用することもできるし、図３に示すように掛け布団として使用することもできるし、図４に示すように膝掛けとして使用することもできるし、図５に示すようにおむつ替え時のマットとして使用することもできる。
【００２２】
次に、本発明に係る多用途アフガン（１）において、開口部（７）から引き出された左右の紐（６１）（６２）を引っ張ると、布体（２）が略Ｕ字状の紐通し通路（５）に沿うラインにおいて絞られ、布体（２）の上部にフード状の部分（Ｆ）が形成されるので、このフード状部分（Ｆ）で頭部（後頭部、側頭部及び頭頂部）を覆うような形態で乳幼児に着用させることができる。
図６及び図７はこのときの状態を示しており、図６はマントのような形態で着用させた状態を、図７は全身をくるむように着用させた状態を夫々示しており、本発明に係る多用途アフガンではいずれの形態で着用することも可能である。
【００２３】
図８は、図６及び図７に示した着用状態において、頭部から肩部にかけての部分を背中側から見た図である。
開口部（７）が通路（５）の略Ｕ字の下端部において布体（２）の表面に開口されていると、図示のように、左右の紐（６１）（６２）は着用している乳幼児の背中側に引き出されて結ばれるようになるので、乳幼児が自分で紐を引っ張ることによって首が絞まって窒息する事故を防ぐことができ、安全性に優れたものとなる。
【００２４】
但し、左右の紐を乳幼児の前方側に引き出して結ぶことができるようにしたものも本発明に含まれるものであり、この場合には開口部（７）の位置を変更すればよい。具体的には、例えば、前述したように開口部（７）を紐通し通路（５）の始端（５１）及び終端（５２）に夫々設けることにより、左右の紐を前方に引き出して結ぶことができるようになる。
【００２５】
図６及び図７に示した着用状態において、紐通し通路（５）の始端及び終端の近傍位置に夫々設けられた係合手段（８）（例えばボタン（８１）とループ（８２））を互いに係合させることによって、首の位置でフードの下端部を左右に連結することができ、フードのずり落ち等を防ぐことができる。
【００２６】
このように、本発明に係る多用途アフガンは、紐を引っ張るだけで簡単に頭部を覆うフードを形成することができるので、入浴後やプールに入った後において着用させることで、頭髪を乾かすのに役立てることができ、また災害時においては頭部を保護する防災頭巾としても使用することができる。
【００２７】
尚、本発明に係る多用途アフガンは、乳幼児が使用するための物品として最も好適であるが、乳幼児以外の人（もっと年齢が高い子供や大人）（以下、大人等という）が使用するための物品とすることもできる。
大人等が使用するための物品とする場合、単に全体のサイズを比例的に大きくすることによって対応することができる。このように形成された物品は、大人等が入浴後やプールに入った後において着用することで、頭髪を乾かしたり、肩や背中の日焼けを防ぐための手軽な着衣として使用することができる。また、災害時において頭部を保護する防災頭巾としても使用することができる。
【産業上の利用可能性】
【００２８】
本発明は、おくるみ、掛け布団、膝掛け等として使用することができる他に、携帯用の防災用品や入浴後に着用する衣類としても好適に使用することができる。
【図面の簡単な説明】
【００２９】
【図１】本発明に係る多用途アフガンの平面図であって、（ａ）は表面図、（ｂ）は裏面図である。
【図２】本発明に係る多用途アフガンをおくるみとして使用した状態を示す図である。
【図３】本発明に係る多用途アフガンを掛け布団として使用した状態を示す図である。
【図４】本発明に係る多用途アフガンを膝掛けとして使用した状態を示す図である。
【図５】本発明に係る多用途アフガンをおむつ替え時のマットとして使用した状態を示す図である。
【図６】本発明に係る多用途アフガンを、フードを形成してマントのような形態で着用させた状態を示す図である。
【図７】本発明に係る多用途アフガンを、フードを形成して全身をくるむような形態で着用させた状態を示す図である。
【図８】図６及び図７に示した着用状態において、頭部から肩部にかけての部分を背中側から見た図である。
【符号の説明】
【００３０】
１      多用途アフガン
２      布体
３      表布
４      裏布
５      紐通し通路
５１    紐通し通路の略Ｕ字の始端
５２    紐通し通路の略Ｕ字の終端
６      紐体
６１    左紐
６２    右紐
７      開口部
８      係合手段
８１    ボタン
８２    ループ
【図１】
2006214025.tif 000003
【図２】
2006214025.tif 000004
【図３】
2006214025.tif 000005
【図４】
2006214025.tif 000006
【図５】
2006214025.tif 000007
【図６】
2006214025.tif 000008
【図７】
2006214025.tif 000009
【図８】
2006214025.tif 000010